(57)【要約】【課題】グランドを通じた放射ノイズの発生を効果的に抑えることができるシールドコネクタ、および、電気接続構造を提供すること。【解決手段】シールドコネクタ１において、各コネクタ側信号端子３０は、くの字状に屈曲された信号端子板状バネ部３１を有し、信号端子板状バネ部３１の内側に屈曲された先端部が接点となり、各コネクタ側グランド端子４０は、信号端子板状バネ部３１と同じ向きでくの字状に屈曲されたグランド端子板状バネ部４１を有し、グランド端子板状バネ部４１の一端側がシールド部２０に連接され、かつ、他端側の内側に屈曲された先端部が接点となり、１対のコネクタ側グランド端子４０のグランド端子板状バネ部４１の前記シールド部２０に連接される側の互いの端部を２つのコネクタ側信号端子３０の信号端子板状バネ部３１を覆いながら橋渡すように連結するシールド覆い部５０を有してなる。【選択図】図８
2018049722.tif 000002
【特許請求の範囲】
【請求項１】
極性を反転された２つの信号線に対応して並設された２つの回路基板側信号端子と、該２つの回路基板側信号端子の並び方向両端位置に設けられた１対の回路基板側グランド端子と、がパターン形成された回路基板の前記２つの回路基板側信号端子のそれぞれに接続される２つのコネクタ側信号端子と、前記回路基板側グランド端子に接続される１対のコネクタ側グランド端子とが設けられ、シールド機能をなすシールド部を有してなるシールドコネクタにおいて、
前記２つのコネクタ側信号端子の各コネクタ側信号端子は、
くの字状に屈曲された信号端子板状バネ部を有し、該信号端子板状バネ部の内側に屈曲された先端部が接点となり、
前記１対のコネクタ側グランド端子の各コネクタ側グランド端子は、
前記信号端子板状バネ部と同じ向きでくの字状に屈曲されたグランド端子板状バネ部を有し、該グランド端子板状バネ部の一端側が前記シールド部に連接され、かつ、他端側の内側に屈曲された先端部が接点となり、
前記１対のコネクタ側グランド端子の前記グランド端子板状バネ部の前記シールド部に連接される側の互いの端部を前記２つのコネクタ側信号端子の前記信号端子板状バネ部を覆いながら橋渡すように連結するシールド覆い部
を有してなることを特徴とするシールドコネクタ。
【請求項２】
極性を反転された２つの信号線に対応して並設された２つの回路基板側信号端子と、該２つの回路基板側信号端子の並び方向両端位置に設けられた１対の回路基板側グランド端子とがパターン形成された回路基板と、前記２つの回路基板側信号端子のそれぞれに接続される２つのコネクタ側信号端子と、前記回路基板側グランド端子に接続される１対のコネクタ側グランド端子とが設けられ、シールド機能をなすシールド部を有してなるシールドコネクタと、の電気接続構造において、
前記シールドコネクタは、
前記２つのコネクタ側信号端子の各コネクタ側信号端子が、
くの字状に屈曲された信号端子板状バネ部を有し、該信号端子板状バネ部の内側に屈曲された先端部が接点となり、
前記１対のコネクタ側グランド端子の各コネクタ側グランド端子が、
前記信号端子板状バネ部と同じ向きでくの字状に屈曲されたグランド端子板状バネ部を有し、該グランド端子板状バネ部の一端側が前記シールド部に連接され、かつ、他端側の内側に屈曲された先端部が接点となり、
前記１対のコネクタ側グランド端子の前記グランド端子板状バネ部の前記シールド部に連接される側の互いの端部を前記２つのコネクタ側信号端子の前記信号端子板状バネ部を覆いながら橋渡すように連結するシールド覆い部
を有してなり、
前記回路基板は、
前記１対の回路基板側グランド端子が前記２つの回路基板側信号端子の並び方向で互いが連結されるようにパターン形成された連結部
を有してなる
ことを特徴とする電気接続構造。
【発明の詳細な説明】
【技術分野】
【０００１】
本発明は、回路基板に設けられた端子に接続されるシールドコネクタおよび電気接続構造に関する。
【背景技術】
【０００２】
従来、自動車等に搭載される各種電装品の制御部に高周波の電気信号を伝送するため、高周波対応のシールド電線が用いられ、このシールド電線の電気的な接続にはシールド機能をなすシールドシェル等のシールド部を有してなるシールドコネクタが用いられる。
例えば、特許文献１には、複数のコンタクト（端子）がシールドシェルに覆われた複数の基板コンタクトに接続されるシールドコネクタが記載されている。
【０００３】
また、特許文献２には、複数並設された回路基板側信号端子の並び方向両端側の領域から、コネクタの嵌合側かつ複数の回路基板側信号端子の並び方向に沿った領域にかけて複数の回路基板側信号端子を囲うようにグランドパターンが形成された回路基板とコネクタとの電気接続構造が記載されている。
【０００４】
このように回路基板ＣＢに設けられた端子に接続されるシールドコネクタＣには、図９に示すように、２つの信号に対応して並設された回路基板側信号端子Ａ１、Ａ１に対して接続される２つのコネクタ側信号端子Ａ２、Ａ２と、回路基板側信号端子Ａ１、Ａ１を挟み込むように配置される回路基板側グランド端子Ｂ１、Ｂ１に対して接続される１対のコネクタ側グランド端子Ｂ２、Ｂ２と、が設けられるものがある。
【先行技術文献】
【特許文献】
【０００５】
【特許文献１】特開２０１５−４１５８７号公報
【特許文献２】特開平８−１８０９４２号公報
【発明の概要】
【発明が解決しようとする課題】
【０００６】
このシールドコネクタＣと回路基板ＣＢとの電気接続構造は、回路基板ＣＢおよびシールドコネクタＣの信号線に対応した信号端子Ａ１、Ａ２に対して、回路基板ＣＢおよびシールドコネクタＣのグランドに対応したグランド端子Ｂ１、Ｂ２の距離が近いため、２つの信号線の位相が１８０°切り替わる時に、信号端子Ａ１、Ａ２とグランド端子Ｂ１、Ｂ２との電界強度が強くなり、信号とグランドとの結合が起き（図９（ｂ）参照）、信号にのったノイズがグランドを通じて放射され、この放射ノイズが電装品に悪影響を与える問題がある。
【０００７】
この問題を解消するため、シールドシェル等によって信号線に対応した端子を覆うことも考えられるが、特許文献１に記載されたシールドコネクタのように、回路基板への端子の実装部分をシールドシェルによって覆うことは難しく、端子の実装部分周辺がシールドシェルから露出され、結果的に、グランドを通じた放射ノイズを抑えることが難しい。
【０００８】
また特許文献２に記載された電気接続構造は、回路基板とコネクタとが接続完了される前にコネクタのケーブルに帯電された電荷をグランドパターンによって放電することができるものの、グランドパターンは回路基板上に２次元的に形成されているため、回路基板上以外では回路基板およびコネクタの信号線に対応した端子をグランドによって覆うことができず、結果的に、グランドを通じた放射ノイズを抑えることが難しい。
【０００９】
本発明は、上記に鑑みてなされたものであって、グランドを通じた放射ノイズの発生を効果的に抑えることができるシールドコネクタ、および、電気接続構造を提供することを目的とする。
【課題を解決するための手段】
【００１０】
上述した課題を解決し、目的を達成するために、本発明の請求項１に係るシールドコネクタは、極性を反転された２つの信号線に対応して並設された２つの回路基板側信号端子と、該２つの回路基板側信号端子の並び方向両端位置に設けられた１対の回路基板側グランド端子と、がパターン形成された回路基板の前記２つの回路基板側信号端子のそれぞれに接続される２つのコネクタ側信号端子と、前記回路基板側グランド端子に接続される１対のコネクタ側グランド端子とが設けられ、シールド機能をなすシールド部を有してなるシールドコネクタにおいて、前記２つのコネクタ側信号端子の各コネクタ側信号端子は、くの字状に屈曲された信号端子板状バネ部を有し、該信号端子板状バネ部の内側に屈曲された先端部が接点となり、前記１対のコネクタ側グランド端子の各コネクタ側グランド端子は、前記信号端子板状バネ部と同じ向きでくの字状に屈曲されたグランド端子板状バネ部を有し、該グランド端子板状バネ部の一端側が前記シールド部に連接され、かつ、他端側の内側に屈曲された先端部が接点となり、前記１対のコネクタ側グランド端子の前記グランド端子板状バネ部の前記シールド部に連接される側の互いの端部を前記２つのコネクタ側信号端子の前記信号端子板状バネ部を覆いながら橋渡すように連結するシールド覆い部を有してなることを特徴とする。
【００１１】
上述した課題を解決し、目的を達成するために、本発明の請求項２に係る電気接続構造は、極性を反転された２つの信号線に対応して並設された２つの回路基板側信号端子と、該２つの回路基板側信号端子の並び方向両端位置に設けられた１対の回路基板側グランド端子とがパターン形成された回路基板と、前記２つの回路基板側信号端子のそれぞれに接続される２つのコネクタ側信号端子と、前記回路基板側グランド端子に接続される１対のコネクタ側グランド端子とが設けられ、シールド機能をなすシールド部を有してなるシールドコネクタと、の電気接続構造において、前記シールドコネクタは、前記２つのコネクタ側信号端子の各コネクタ側信号端子が、くの字状に屈曲された信号端子板状バネ部を有し、該信号端子板状バネ部の内側に屈曲された先端部が接点となり、前記１対のコネクタ側グランド端子の各コネクタ側グランド端子が、前記信号端子板状バネ部と同じ向きでくの字状に屈曲されたグランド端子板状バネ部を有し、該グランド端子板状バネ部の一端側が前記シールド部に連接され、かつ、他端側の内側に屈曲された先端部が接点となり、前記１対のコネクタ側グランド端子の前記グランド端子板状バネ部の前記シールド部に連接される側の互いの端部を前記２つのコネクタ側信号端子の前記信号端子板状バネ部を覆いながら橋渡すように連結するシールド覆い部を有してなり、前記回路基板は、前記１対の回路基板側グランド端子が前記２つの回路基板側信号端子の並び方向で互いが連結されるようにパターン形成された連結部を有してなることを特徴とする。
【発明の効果】
【００１２】
本発明の請求項１に係るシールドコネクタは、前記回路基板に接続されると、前記１対のコネクタ側グランド端子の間に配置される前記２つのコネクタ側信号端子の前記シールド部から露出される前記信号端子板状バネ部を前記シールド覆い部によって覆うことができ、しかも、前記信号端子板状バネ部および前記グランド端子板状バネ部がくの字状の屈曲角度を小さくするように屈曲されることによって、前記シールド覆い部を前記信号端子板状バネ部により近づけつつ前記信号端子板状バネ部の全体を覆うことができるので、極性を反転された２つの信号線の位相が１８０°切り替わる時に、信号線に対応した端子とグランドに対応した端子との電界強度が強くなることを防止し、グランドを通じた放射ノイズの発生を効果的に抑えることができる。
【００１３】
本発明の請求項２に係る電気接続構造は、前記回路基板に接続されると、前記１対のコネクタ側グランド端子の間に配置される前記２つのコネクタ側信号端子の前記シールド部から露出される前記信号端子板状バネ部を前記シールド覆い部によって覆うことができ、しかも、前記信号端子板状バネ部および前記グランド端子板状バネ部がくの字状の屈曲角度を小さくするように屈曲されることによって、前記シールド覆い部を前記信号端子板状バネ部により近づけつつ前記信号端子板状バネ部の全体を覆うことができ、さらには、前記１対のコネクタ側グランド端子が接続される前記一対の回路基板側グランド端子が前記連結部によって前記回路基板側信号端子の並び方向で互いに連結されているので、前記回路基板側信号端子の並び方向両端位置から並び方向に沿った領域に連続したグランドパターンで前記回路基板側信号端子を囲うことができるので、極性を反転された２つの信号線の位相が１８０°切り替わる時に、信号線に対応した端子とグランドに対応した端子との電界強度が強くなることを防止し、グランドを通じた放射ノイズの発生を効果的に抑えることができる。
【図面の簡単な説明】
【００１４】
【図１】図１は、（ａ）が本発明の実施例に係るシールドコネクタおよび電気接続構造が組み込まれた車載カメラの側面図であり、（ｂ）が（ａ）に示した車載カメラの斜視図である。
【図２】図２は、（ａ）が本発明の実施例に係るシールドコネクタの上面図であり、（ｂ）がシールドコネクタを回路基板と接続される側から視た正面図である。
【図３】図３は、シールドコネクタの断面図である。
【図４】図４は、インナーハウジングに取り付けられたシールドシェルの斜視図である。
【図５】図５は、図４に示したシールドシェルを異なる方向から視た斜視図である。
【図６】図６は、回路基板上にパターン形成された回路基板側信号端子、回路基板側グランド端子、および、連結部を示した図である。
【図７】図７は、回路基板とシールドコネクタとが接続された状態を簡略的に示した図である。
【図８】図８は、（ａ）が回路基板とシールドコネクタとが接続された状態を説明するためシールドシェルの外側の構造および回路基板の外側の構造を省略した図であり、（ｂ）が（ａ）の回路基板とシールドコネクタとの接続部分周辺を拡大した図である。
【図９】図９は、従来技術の問題点について説明するための図である。
【発明を実施するための形態】
【００１５】
以下、図面を参照して、本発明に係るシールドコネクタおよび電気接続構造の好適な実施例を詳細に説明する。
【実施例】
【００１６】
図１は、（ａ）が本発明の実施例に係るシールドコネクタ１および電気接続構造１００が組み込まれた車載カメラ２００の側面図であり、（ｂ）が（ａ）に示した車載カメラ２００の斜視図である。図２は、（ａ）が本発明の実施例に係るシールドコネクタ１の上面図であり、（ｂ）がシールドコネクタ１を回路基板８０と接続される側から視た正面図である。図３は、シールドコネクタ１の断面図である。図４は、インナーハウジング１０に取り付けられたシールドシェル２０の斜視図である。図５は、図４に示したシールドシェル２０を異なる方向から視た斜視図である。図６は、回路基板８０上にパターン形成された回路基板側信号端子８１、回路基板側グランド端子８２、および、連結部９０を示した図である。図７は、回路基板８０とシールドコネクタ１とが接続された状態を簡略的に示した図である。図８は、（ａ）が回路基板８０とシールドコネクタ１とが接続された状態を説明するためシールドシェル２０の外側の構造および回路基板８０の外側の構造を省略した図であり、（ｂ）が（ａ）の回路基板８０とシールドコネクタ１との接続部分周辺を拡大した図である。
なお、図２および図３は、シールドコネクタ１以外に機器側コネクタ７０の一部についても図示している。
本発明の実施例に係るシールドコネクタ１および電気接続構造１００は、車載カメラ２００に組み込まれてなる。
以下、車載カメラ２００の構成を説明しながらシールドコネクタ１および電気接続構造１００について説明する。
【００１７】
車載カメラ２００は、機器側コネクタ７０と、カメラケース７３と、機器側コネクタ７０にコネクタ嵌合されるシールドコネクタ１と、を有してなる。
【００１８】
シールドコネクタ１は、端末部にメス端子１３が取り付けられた４本の電線１２をシールド材および絶縁材を含む被覆材で外周を覆うことによって束ねられてなるシールド電線１４のメス端子１３のそれぞれを収容する４つの端子収容室１１が設けられたインナーハウジング１０と、インナーハウジング１０の外周を覆うようにインナーハウジング１０に取り付けられるシールド部としてのシールドシェル２０と、シールドシェル２０が取り付けられた状態のインナーハウジング１０を内部に収容し、機器側コネクタ７０とのコネクタ嵌合部分が設けられたアウターハウジング６０と、を有してなる。
なお、アウターハウジング６０の後端部開口にはホルダー６４によってシール部材６５が固定されるようになっている。
【００１９】
シールド電線１４は、４本の電線１２がシールド層を含めた多層の被覆材によって覆われることによって構成されている。
なお、シールド電線１４を構成する４本の電線１２は、信号を伝送する信号線であり、２本の電線１２毎にペアリングすることによって、極性を反転された２つ信号を伝送するようになっている。
【００２０】
インナーハウジング１０は、絶縁性の樹脂材からなるブロック状をなし、４つの端子収容室１１が２段に分けて設けられている。
これら４つ端子収容室１１に収容されたメス端子１３にコネクタ側信号端子３０の一端部が接続されるようになっている。
【００２１】
コネクタ側信号端子３０は、くの字状に屈曲された信号端子板状バネ部３１を有し、この信号端子板状バネ部３１の内側に屈曲された先端部が後述する回路基板側信号端子８１との接点になっている。
より具体的には、コネクタ側信号端子３０は、信号端子板状バネ部３１の先端部に半球状に突出された接点部３２が設けられ、この接点部３２が信号端子板状バネ部３１のバネ力を利用して回路基板側信号端子８１に押圧されることによって回路基板側信号端子８１に接続されるようになっている。
【００２２】
シールドシェル２０は、板状金属部材がプレス加工、および、折り曲げ加工等を施されることによってインナーハウジング１０の外周を覆う筒状に形成されたシールド部である。
このシールドシェル２０には、後述する回路基板側グランド端子８２に接続される１対で１組のコネクタ側グランド端子４０を２組と、各組の１対のコネクタ側グランド端子４０を連結するシールド覆い部５０と、が一体的に設けられている。
【００２３】
コネクタ側グランド端子４０は、信号端子板状バネ部３１と同じ向きでくの字状に屈曲されたグランド端子板状バネ部４１を有し、このグランド端子板状バネ部４１の一端側がシールドシェル２０に連接され、かつ、他端側の内側に屈曲された先端部が接点になっている。
【００２４】
シールド覆い部５０は、１対のコネクタ側グランド端子４０のグランド端子板状バネ部４１のシールドシェル２０に連接される側の互いの端部を２つのコネクタ側信号端子３０の信号端子板状バネ部３１を覆いながら橋渡すように連結する部分である。
このシールド覆い部５０は、各組の１対のコネクタ側グランド端子４０にそれぞれ設けられている。
【００２５】
このシールド覆い部５０は、くの字状に屈曲されたグランド端子板状バネ部４１の内側に屈曲された先端部とは逆側の端部に設けられることによって、バネとしての機能をなすグランド端子板状バネ部４１の一端側部分を有効に利用するとともに、１対のコネクタ側グランド端子４０の間に配置される２つのコネクタ側信号端子３０のシールドシェル２０から露出される信号端子板状バネ部３１を覆うことができるようになっている。
【００２６】
アウターハウジング６０は、絶縁性の樹脂材からなり、図３に示すように、シールドシェル２０の外周を囲うようにフード状に形成されたフード部６１と、電線引き出し口６０ａを封止するためのシール部材６５を保持収容するシール部材保持収容部６２と、機器側コネクタ７０の後述するコネクタ部７１に設けられたロック突起部７１ａにロックするロックアーム部６３と、を有してなる。
【００２７】
機器側コネクタ７０は、図１に示すように、シールドコネクタ１とコネクタ嵌合される部分となるコネクタ部７１と、カバー部７２と、を有してなる。
【００２８】
コネクタ部７１は、筒状をなし、アウターハウジング６０のフード部６１が筒内に嵌合されるようになっている。
このコネクタ部７１は、アウターハウジング６０のロックアーム部６３がロックするロック突起部７１ａが設けられている。
【００２９】
カバー部７２は、カメラケース７３のレンズ７３ａが取り付けられた一端側とは逆側の端部の開口を閉塞する部分である。
【００３０】
カメラケース７３は、回路基板８０を含めたカメラ機能部品が収容される部分であり、一端側にレンズ７３ａが取り付けられている。
回路基板８０は、表面上に電子部品が実装されるとともに制御回路に関わる導体パターンが形成されている。
回路基板８０上に形成された導電パターンとしては、極性を反転された２つの信号線に対応して並設された２つの回路基板側信号端子８１が４本の電線１２に対応して２組設けられている。
２組の回路基板側信号端子８１は、異なる組の各回路基板側信号端子８１が対向配置されるようになっている。
【００３１】
また、回路基板８０上に形成された導電パターンとしては、１対の回路基板側グランド端子８２が２組の回路基板側信号端子８１に対応して２組の回路基板側信号端子８１が向かい合う方向に沿ってそれぞれの組の回路基板側信号端子８１の両端位置に延在するように設けられている。
【００３２】
さらに、回路基板８０上に形成された導電パターンとしては、１対の回路基板側グランド端子８２が各組の２つの回路基板側信号端子の並び方向で互いが連結されるように連結部９０が設けられている。
【００３３】
連結部９０は、対向配置された２組の回路基板側信号端子８１の間を各組の２つの回路基板側信号端子８１の並び方向に沿って１対の回路基板側グランド端子８２を連結するようになっている。
【００３４】
このようなシールドコネクタ１と、機器側コネクタ７０と、がコネクタ嵌合されることによって、シールドコネクタ１が回路基板８０に接続されると、図８に示すように、各組の１対のコネクタ側グランド端子４０の間に配置される２つのコネクタ側信号端子３０のシールドシェル２０から露出される信号端子板状バネ部３１をシールド覆い部５０によって覆うことができるようになっている。
しかも、信号端子板状バネ部３１およびグランド端子板状バネ部４１がくの字状の屈曲角度を小さくするように屈曲されることによって、シールド覆い部５０を信号端子板状バネ部３１により近づけつつ信号端子板状バネ部３１の全体を覆うことができるようになっている。
【００３５】
また、各組の１対のコネクタ側グランド端子４０が接続される一対の回路基板側グランド端子８２が連結部９０によって各組の回路基板側信号端子８１の並び方向で互いに連結されているので、各組の回路基板側信号端子８１の並び方向両端位置から並び方向に沿った領域に連続したグランドパターンで各組の回路基板側信号端子８１を囲うことができるようになっている。
【００３６】
本発明の実施例に係るシールドコネクタ１は、回路基板８０に接続されると、各組の１対のコネクタ側グランド端子４０の間に配置される２つのコネクタ側信号端子３０のシールドシェル２０から露出される信号端子板状バネ部３１をシールド覆い部５０によって覆うことができ、しかも、信号端子板状バネ部３１およびグランド端子板状バネ部４１がくの字状の屈曲角度を小さくするように屈曲されることによって、シールド覆い部５０を信号端子板状バネ部３１により近づけつつ信号端子板状バネ部３１の全体を覆うことができるので、極性を反転された２つの信号線の位相が１８０°切り替わる時に、信号線に対応した端子とグランドに対応した端子との電界強度が強くなることを防止し、グランドを通じた放射ノイズの発生を効果的に抑えることができる。
【００３７】
また、本発明の実施例に係る電気接続構造１００は、回路基板８０に接続されると、各組の１対のコネクタ側グランド端子４０の間に配置される２つのコネクタ側信号端子３０のシールドシェル２０から露出される信号端子板状バネ部３１をシールド覆い部５０によって覆うことができ、しかも、信号端子板状バネ部３１およびグランド端子板状バネ部４１がくの字状の屈曲角度を小さくするように屈曲されることによって、シールド覆い部５０を信号端子板状バネ部３１により近づけつつ信号端子板状バネ部３１の全体を覆うことができ、さらには、１対のコネクタ側グランド端子４０が接続される一対の回路基板側グランド端子８２が連結部９０によって回路基板側信号端子８１の並び方向で互いに連結されているので、回路基板側信号端子８１の並び方向両端位置から並び方向に沿った領域に連続したグランドパターンで回路基板側信号端子８１を囲うことができるので、極性を反転された２つの信号線の位相が１８０°切り替わる時に、信号線に対応した端子とグランドに対応した端子との電界強度が強くなることを防止し、グランドを通じた放射ノイズの発生を効果的に抑えることができる。
【００３８】
なお、本発明の実施例に係るシールドコネクタ１および電気接続構造１００は、車載カメラに組み込まれるものを例示したが、これに限らず、その他のデバイスに組み込まれるものであっても構わない。
【００３９】
また、本発明の実施例に係るシールドコネクタ１および電気接続構造１００は、４つの信号線に対応した４本の電線１２を有してなり、回路基板８０には２つの回路基板側信号端子８１が２組、および、１対の回路基板側グランド端子８２が設けられ、シールドコネクタ１には、２つのコネクタ側信号端子３０が２組、および、１対のコネクタ側グランド端子４０が２組設けられるものを例示したが、これに限らず、少なくとも極性を反転された２つの信号線に対応した２本の電線を有し、その２つの信号線に対応して、回路基板８０には、２つの回路基板側信号端子８１、および、１対の回路基板側グランド端子８２が設けられ、シールドコネクタ１には、２つのコネクタ側信号端子３０、および、１対のコネクタ側グランド端子４０が設けられていればよい。
【００４０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４１】
１      シールドコネクタ
１０    インナーハウジング
１１    端子収容室
１２    電線
１３    メス端子
１４    シールド電線
２０    シールドシェル（シールド部）
３０    コネクタ側信号端子
３１    信号端子板状バネ部
３２    接点部
４０    コネクタ側グランド端子
４１    グランド端子板状バネ部
４１ａ  一端側
４１ｂ  他端側
５０    シールド覆い部
６０    アウターハウジング
６０ａ  電線引き出し口
６１    フード部
６２    シール部材保持収容部
６３    ロックアーム部
６４    ホルダー
６５    シール部材
７０    機器側コネクタ
７１    コネクタ部
７１ａ  ロック突起部
７２    カバー部
７３    カメラケース
７３ａ  レンズ
８０    回路基板
８１    回路基板側信号端子
８２    回路基板側グランド端子
９０    連結部
１００  電気接続構造
２００  車載カメラ
【図１】
2018049722.tif 000003
【図２】
2018049722.tif 000004
【図３】
2018049722.tif 000005
【図４】
2018049722.tif 000006
【図５】
2018049722.tif 000007
【図６】
2018049722.tif 000008
【図７】
2018049722.tif 000009
【図８】
2018049722.tif 000010
【図９】
2018049722.tif 000011